(57)【要約】  本発明は、環境的要因の変化に応じた疾病発症リスクの変動を視覚化する装置及び方法に関するものであって、疾病発症に影響を及ぼす要因のうち、遺伝的要因の値は維持し、環境的要因の値に変化を持たせながら、疾病発症リスクを計算し、環境的要因の変化に応じて計算された疾病の発症リスクを視覚化することにより、ユーザーは疾病発症の可能性を抑えるため、どのように環境的要因(生活習慣等)を改善すべきか、又は維持すべきかを数値的に／視覚的に確認することができ、結果的により積極的に疾病を予防するため、良い習慣を持とうとする行動変容をユーザに起こすことができる。
2021535527.tif 000002
【特許請求の範囲】
【請求項１】
疾病発症に影響を及ぼす遺伝的要因及び環境的要因に対する情報を疾病別に有する疾病発症要因の情報を保存する保存部と、該保存部に保存されている前記疾病発症要因の情報を基に、予め設定された疾病発症に影響を及ぼす遺伝的要因と環境的要因に対するユーザーの現在値を用いて、前記予め設定された疾病に対する前記ユーザーの現在の疾病発症リスクを計算し、前記予め設定された疾病発症に影響を及ぼす遺伝的要因については、前記ユーザーの現在値を用いて、前記予め設定された疾病発症に影響を及ぼす環境的要因については、前記ユーザーの現在値を基に変化した値を用いて、前記予め設定された疾病に対する前記ユーザーの変動疾病発症リスクを計算する疾病発症リスク計算部と、
前記疾病発症リスク計算部により計算された前記ユーザーの前記現在の疾病発症リスクと、前記変動疾病発症リスクを視覚化して出力するディスプレイ部と、
を含む環境的要因の変化に応じた疾病発症リスク変動視覚化装置。
【請求項２】
前記疾病発症リスク計算部は、
前記予め設定された疾病発症に影響を及ぼす環境的要因が複数個あれば、複数個の環境的要因のうちの少なくとも一つ以上の環境的要因については、前記ユーザの現在値を基に変化した値を用いて、前記ユーザの前記変動疾病発症リスクを計算することを特徴とする、
請求項１記載の環境的要因の変化に応じた疾病発症リスク変動視覚化装置。
【請求項３】
前記疾病発症リスク計算部は、
前記予め設定された疾病発症に影響を及ぼす環境的要因について、
前記ユーザの現在値を基に変化した値を互いに異にして変更しながら、
前記ユーザーの前記変動疾病発症リスクを複数回計算し、
前記ディスプレイ部は、
前記疾病発症リスク計算部により計算された前記ユーザーの前記現在の疾病発症リスクと、複数個の前記変動疾病発症リスクを視覚化して出力することを特徴とする、
請求項１に記載の環境的要因の変化に応じた疾病発症リスク変動視覚化装置。
【請求項４】
前記ユーザの現在値を基に変化した値は、
前記ユーザの現在値を基に改善された値である、又は前記ユーザの現在値を基に悪化した値であることを特徴とする、
請求項１に記載の環境的要因の変化に応じた疾病発症リスク変動視覚化装置。
【請求項５】
前記ディスプレイ部は、
前記ユーザの前記現在の疾病発症リスクと、複数個の前記変動疾病発症リスクを視覚化するとき、全体のユーザーの中で、前記ユーザーにつけられているリスクの順位も共に視覚化することを特徴とする、
請求項１に記載の環境的要因の変化に応じた疾病発症リスク変動視覚化装置。
【請求項６】
疾病発症リスク変動視覚化装置の疾病発症リスクの変動を視覚化する方法であって、
疾病発症に影響を及ぼす遺伝的要因及び環境的要因に対する情報を疾病別に有する疾病発症要因の情報を基に、予め設定された疾病発症に影響を及ぼす遺伝的要因と環境的要因に対するユーザーの現在値を用いて、前記予め設定された疾病に対する前記ユーザーの現在の疾病発症リスクを計算する段階と、
前記疾病発症要因の情報を基に、前記予め設定された疾病発症に影響を及ぼす遺伝的要因については、前記ユーザーの現在値を用いて、前記予め設定された疾病発症に影響を及ぼす環境的要因については、前記ユーザーの現在値を基に変化した値を用いて、前記予め設定された疾病に対する前記ユーザーの変動疾病発症リスクを計算する段階と、
計算された前記ユーザーの前記現在の疾病発症リスクと、前記変動疾病発症リスクを視覚化して出力する段階と、
を含む環境的要因の変化に応じた疾病発症リスク変動視覚化方法。
【請求項７】
前記変動疾病発症リスク計算の段階は、
前記予め設定された疾病発症に影響を及ぼす環境的要因が複数個あれば、複数個の環境的要因のうちの少なくとも一つ以上の環境的要因については、前記ユーザの現在値を基に変化した値を用いて、前記ユーザの前記変動疾病発症リスクを計算することからなることを特徴とする、
請求項６に記載の環境的要因の変化に応じた疾病発症リスク変動視覚化方法。
【請求項８】
前記変動疾病発症リスク計算の段階は、
前記予め設定された疾病発症に影響を及ぼす環境的要因について、
前記ユーザの現在値を基に変化した値を互いに異にして変更しながら、
前記ユーザーの前記変動疾病発症リスクを複数回計算することからなり、
前記出力段階は、
計算された前記ユーザーの前記現在の疾病発症リスクと、複数個の前記変動疾病発症リスクを視覚化して出力することからなることを特徴とする、
請求項６に記載の環境的要因の変化に応じた疾病発症リスク変動視覚化方法。
【請求項９】
前記ユーザの現在値を基に変化した値は、
前記ユーザの現在値を基に改善された値である、又は前記ユーザの現在値を基に悪化した値であることを特徴とする、
請求項６に記載の環境的要因の変化に応じた疾病発症リスク変動視覚化方法。
【請求項１０】
前記出力段階は、
前記ユーザの前記現在の疾病発症リスクと、複数個の前記変動疾病発症リスクを視覚化するとき、全体のユーザーの中で、前記ユーザーにつけられているリスクの順位も共に視覚化することからなる、
請求項６に記載の環境的要因の変化に応じた疾病発症リスク変動視覚化方法。
【請求項１１】
請求項６〜１０のいずれか一項に記載された環境的要因の変化に応じた疾病発症リスク変動視覚化方法をコンピュータで実行させるために、
コンピュータで読み取り可能な記録媒体に保存されたコンピュータプログラム。
【発明の詳細な説明】
【技術分野】
【０００１】
本発明は、環境的要因の変化に応じた疾病発症リスクの変動を視覚化する装置及び方法に関するものであって、より詳しくは、疾病発症に影響を及ぼす要因のうち、遺伝的要因の値は維持し、環境的要因の値に変化を持たせながら、疾病発症リスクを計算し、環境的要因の変化に応じて計算された疾病発症リスクを視覚化する装置及び方法に関する。
【背景技術】
【０００２】
遺伝体（Ｇｅｎｏｍｅ）配列解析及び疾病の研究（Ｇｅｎｏｍｅ−ｗｉｄｅ  ａｓｓｏｃｉａｔｉｏｎ  ｓｔｕｄｙ；ＧＷＡＳ等）により、様々な疾病に関連する、或いは表現型に関連する遺伝子の突然変異（ＳＮＰ又はｍｕｔａｔｉｏｎ）マーカーが明らかになってきている。例えば、ＢＲＣＡ１、ＢＲＣＡ２遺伝子の突然変異（ｍｕｔａｔｉｏｎ）の場合、乳がん等の疾病を発症させる可能性を高めると報告されている。
【０００３】
これを受けて、従来の科学研究を通じて報告された数々の遺伝子マーカーを活用して、被検者の疾病及び非疾病表現型が発症する可能性を予測する様々な方法が報告されており（参考文献：Ｓｃｈｒｏｄｉ ＳＪ  ｅｔ  ａｌ．Ｆｒｏｎｔ．Ｇｅｎｅｔ．２０１４）
、国内外の遺伝子検査機関でも同様の方法を活用し、疾病及び表現型に対する遺伝的リスクの計算を基に、疾病発症の可能性を予測／検査する。
【０００４】
しかし、疾病及び表現型の発症は、数多くの遺伝的要因と環境的要因（生活習慣等）が相互作用し、複合的に影響を及ぼす。したがって、保有する遺伝的な要因のみならず、生活習慣等の環境的要因も同時に考慮し、疾病発症リスクを計算しなければ正確な予測と解析ができない。
【０００５】
疾病に影響を及ぼす遺伝的要因の場合は、個人が改善することができないが（遺伝子ハサミ等の特定の技術を用いなければ難しいという特性があるのに対し）、疾病に影響を及ぼす環境的要因の場合には、生活習慣の改善等を通じてリスク要因を調節することができ、結果的に、疾病発症の可能性を改善することができる。遺伝子検査の結果を提供する際、現在の生活習慣の変化（改善又は改悪）による疾病発症リスクの変化程度を計算して提示すれば、被検者は疾病発症の可能性を抑えるために、どのように生活習慣を改善すべきか、又は維持すべきかを数値的に／視覚的に確認することができ、結果的にさらに積極的に疾病を予防するために、良い習慣を持とうとする行動変容の効果を期待することができる。
【０００６】
しかし、現在の生活習慣等の環境的要因に変動（改善又は改悪）があった場合、疾病発症リスクがどのように変動するのかを計算し、その結果を視覚化する技術が存在していない。ただし、図１に示すように、様々な環境的要因の中、「喫煙」と「肥満」の二つの要因について、それぞれ個別的環境要因の状態に応じてリスクの変化を数値で示す技術があるが、これは被検者自信の現在の生活習慣を考慮しないで、遺伝的リスク因子のみを考慮した時のリスクを先に計算してから、報告された環境的要因の状態に応じて変化するリスクの数値のみを示している。すなわち、図１を参照すれば、被検者自信の現在の状態は考慮しないで、それぞれの環境的要因のすべての場合の数について、従来の論文等で報告された数値の変化のみを単純に適用して示している。肺がんの場合、被検者の遺伝的要因のみを考慮したとき、リスクが０．８４と解析され、従来報告された疫学調査の結果によれば、喫煙をした場合、非喫煙者よりもリスクが６．９９倍、喫煙後、禁煙した場合は非喫煙者よりもリスクが３．５倍増すと報告されていたので、非喫煙時のリスクは、遺伝的要因０．８４と非喫煙による環境的要因１を乗じた値を示しており、禁煙時のリスクは、遺
伝的要因０．８４と禁煙時による環境的要因３．５を乗じた値を示しており、喫煙時のリスクは、遺伝的要因０．８４と喫煙時による環境的要因６．９９を乗じた値を示す。
【発明の概要】
【発明が解決しようとする課題】
【０００７】
本発明が解決しようとする技術的課題は、疾病発症に影響を及ぼす要因の中、遺伝的要因の値は維持し、環境的要因の値に変化を持たせながら、疾病発症リスクを計算し、環境的要因の変化に応じて計算された疾病発症リスクを視覚化する環境的要因の変化に応じた疾病発症リスク変動視覚化装置及び方法を提供することにある。
【課題を解決するための手段】
【０００８】
前記技術的課題を達成すべく本発明による環境的要因の変化に応じた疾病発症リスク変動を視覚化する装置は、疾病発症に影響を及ぼす遺伝的要因及び環境的要因に対する情報を疾病別に有する疾病発症要因の情報を保存する保存部と、該保存部に保存されている前記疾病発症要因の情報を基に、予め設定された疾病発症に影響を及ぼす遺伝的要因と環境的要因に対するユーザーの現在値を用いて、前記予め設定された疾病に対する前記ユーザーの現在の疾病発症リスクを計算し、前記予め設定された疾病発症に影響を及ぼす遺伝的要因については、前記ユーザーの現在値を用いて、前記予め設定された疾病発症に影響を及ぼす環境的要因については、前記ユーザーの現在値を基に変化した値を用いて、前記予め設定された疾病に対する前記ユーザーの変動疾病発症リスクを計算する疾病発症リスク計算部と、前記疾病発症リスク計算部により計算された前記ユーザーの前記現在の疾病発症リスクと、前記変動疾病発症リスクを視覚化して出力するディスプレイ部とを含む。
【０００９】
前記疾病発症リスク計算部は、前記予め設定された疾病発症に影響を及ぼす環境的要因が複数個あれば、複数個の環境的要因のうちの少なくとも一つ以上の環境的要因については、前記ユーザの現在値を基に変化した値を用いて、前記ユーザーの前記変動疾病発症リスクを計算することができる。
【００１０】
前記疾病発症リスク計算部は、前記予め設定された疾病発症に影響を及ぼす環境的要因について、前記ユーザの現在値を基に変化した値を互いに異にして変更しながら、前記ユーザーの前記変動疾病発症リスクを複数回計算し、前記ディスプレイ部は、前記疾病発症リスク計算部により計算された前記ユーザーの前記現在の疾病発症リスクと、複数個の前記変動疾病発症リスクを視覚化して出力することができる。
【００１１】
前記ユーザの現在値を基に変化した値は、前記ユーザーの現在値を基に改善された値である、又は前記ユーザの現在値を基に悪化した値であることができる。
【００１２】
前記ディスプレイ部は、前記ユーザーの前記現在の疾病発症リスクと、複数個の前記変動疾病発症リスクを視覚化するとき、全体のユーザーの中で、前記ユーザーにつけられたリスクの順位も共に視覚化することができる。
【００１３】
前記の技術的課題を達成すべく本発明による環境的要因の変化に応じた疾病発症リスク変動視覚化方法は、疾病発症リスク変動視覚化装置の疾病発症リスクの変動を視覚化する方法であって、疾病発症に影響を及ぼす遺伝的要因及び環境的要因に対する情報を疾病別に有する疾病発症要因の情報を基に、予め設定された疾病発症に影響を及ぼす遺伝的要因と環境的要因に対するユーザーの現在値を用いて、前記予め設定された疾病に対する前記ユーザーの現在の疾病発症リスクを計算する段階と、前記疾病発症要因の情報を基に、前記予め設定された疾病発症に影響を及ぼす遺伝的要因については、前記ユーザーの現在値を用いて、前記予め設定された疾病発症に影響を及ぼす環境的要因については、前記ユーザーの現在値を基に変化した値を用いて、前記予め設定された疾病に対する前記ユーザー
の変動疾病発症リスクを計算する段階と、計算された前記ユーザーの前記現在の疾病発症リスクと、前記変動疾病発症リスクを視覚化して出力する段階とを含む。
【００１４】
前記変動疾病発症リスク計算の段階は、前記予め設定された疾病発症に影響を及ぼす環境的要因が複数個あれば、複数個の環境的要因のうちの少なくとも一つ以上の環境的要因については、前記ユーザの現在値を基に変化した値を用いて、前記ユーザの前記変動疾病発症リスクを計算することからなることができる。
【００１５】
前記変動疾病発症リスク計算の段階は、前記予め設定された疾病発症に影響を及ぼす環境的要因について、前記ユーザの現在値を基に変化した値を互いに異にして変更しながら、前記ユーザーの前記変動疾病発症リスクを複数回計算することからなり、前記出力段階は、計算された前記ユーザーの前記現在の疾病発症リスクと、複数個の前記変動疾病発症リスクを視覚化して出力することからなることができる。
【００１６】
前記ユーザの現在値を基に変化した値は、前記ユーザーの現在値を基に改善された値である、又は前記ユーザの現在値を基に悪化した値であることができる。
【００１７】
前記出力段階は、前記ユーザーの前記現在の疾病発症リスクと、複数個の前記変動疾病発症リスクを視覚化する際、全体のユーザーの中で、前記ユーザーにつけられたリスクの順位も共に視覚化するものからなることができる。
【００１８】
前記の技術的課題を達成すべく本発明によるコンピュータプログラムは、コンピュータで読み取り可能な記録媒体に保存され、前記した方法のうちのいずれかをコンピュータで実行させる。
【発明の効果】
【００１９】
本発明による環境的要因の変化に応じた疾病発症リスク変動視覚化装置及び方法によれば、疾病発症に影響を及ぼす要因の中、遺伝的要因の値は維持し、環境的要因の値に変化を持たせながら、疾病発症リスクを計算し、環境的要因の変化に応じて計算された疾病発症リスクを視覚化することにより、ユーザーは、疾病発症の可能性を抑えるために如何にして環境的要因（生活習慣等）を改善すべきか、又は維持すべきかを数値的に／視覚的に確認することができ、結果的により積極的に疾病を予防するために、良い習慣を持とうとする行動変容をユーザーに起こすことができる。
【図面の簡単な説明】
【００２０】
【図１】従来の疾病発症リスクを視覚化する例示を説明するための図である。
【図２】本発明の好ましい実施例による環境的要因の変化に応じた疾病発症リスクの変動を視覚化する装置を説明するためのブロック図である。
【図３】本発明の好ましい実施例による疾病発症リスクを視覚化する一例を説明するための図である。
【図４】本発明の好ましい実施例による疾病発症リスクを視覚化するもう一つの例を説明するための図である。
【図５】本発明の好ましい実施例による環境的要因の変化に応じた疾病発症リスクの変動を視覚化する方法を説明するためのフローチャートである。
【発明を実施するための形態】
【００２１】
以下に添付した図面を参照に、本発明による環境的要因の変化に応じた疾病発症リスク変動視覚化装置及び方法の好ましい実施例にについて、詳細に説明する。
【００２２】
まず、図２〜図４を参照に、本発明の好ましい実施例による環境的要因の変化に応じた
疾病発症リスクの変動を視覚化する装置について説明する。
【００２３】
図２は、本発明の好ましい実施例による環境的要因の変化に応じた疾病発症リスクの変動を視覚化する装置を説明するためのブロック図であり、図３は、本発明の好ましい実施例による疾病発症リスクを視覚化する一例を説明するための図であり、図４は、本発明の好ましい実施例による疾病発症リスクを視覚化するもう一つの例を説明するための図である。
【００２４】
図２を参照すれば、本発明の好ましい実施例による環境的要因の変化に応じた疾病発症リスク変動視覚化装置１００は、疾病発症に影響を及ぼす要因の中、遺伝的要因の値は維持し、環境的要因の値に変化を持たせながら、疾病発症リスクを計算し、環境的要因の変化に応じて計算された疾病発症リスクを視覚化する。
【００２５】
これのために、疾病発症リスク変動視覚化装置１００は、保存部１１０、疾病発症リスク計算部１３０及びディスプレイ部１５０を含むことができる。
【００２６】
保存部１１０は、疾病発症要因の情報等を保存している。ここで、疾病発症要因の情報は、疾病発症に影響を及ぼす遺伝的要因及び環境的要因に対する情報を疾病別に有する。
【００２７】
例えば、疾病発症要因の情報は、疾病（又は表現型）に対する遺伝的マーカー（遺伝的要因）及び環境的マーカー（環境的要因）を論文等の従来の資料から、各マーカー（要因）の効果量（ｅｆｆｅｃｔ  ｓｉｚｅ）情報と共に収集して獲得することができる。一般に、疾病に対するマーカーの効果量は、オッズ比（ｏｄｄｓ  ｒａｔｉｏ）、相対リスク（ｒｅｌａｔｉｖｅ  ｒｉｓｋ）、リスク比（ｒｉｓｋ  ｒａｔｉｏ）、ハザード比（ｈａｚａｒｄ  ｒａｔｉｏ）のうちいずれかで計算することができる。
【００２８】
疾病発症リスク計算部１３０は、保存部１１０に保存されている疾病発症要因の情報を基に、予め設定された疾病に対するユーザーの現在の疾病発症リスクと変動疾病発症リスクを計算する。ここで、現在の疾病発症リスクや変動疾病発症リスクを計算する方法は、従来の様々な計算方式を用いることができる。
【００２９】
すなわち、疾病発症リスク計算部１３０は、疾病発症要因の情報を基に、予め設定された疾病発症に影響を及ぼす遺伝的要因と環境的要因に対するユーザーの現在値を用いて、予め設定された疾病に対するユーザーの現在の疾病発症リスクを計算することができる。
【００３０】
例えば、次の［表１］を参照すれば、胃がん発症に影響を及ぼす環境的要因が、飲酒、喫煙、ＢＭＩ（体質量指数）であり、環境的要因（生活習慣等）に対するユーザーの現在値（現在の生活習慣等）が、以下の［表１］によれば、胃がんに対するユーザーの現在の疾病発症リスクは「５０位」である。以下の［表１］による疾病発症リスクは一つの例示に過ぎず、疾病発症リスクは、従来の様々な計算方法に基づいて計算され、これにより、点数、倍数、ランキング、レベルなど、様々な方式によって表現されることができる。
【表１】
2021535527.tif 000003
【００３１】
また、疾病発症リスク計算部１３０は、疾病発症要因の情報を基に、予め設定された疾病発症に影響を及ぼす遺伝的要因については、ユーザーの現在値を用いて、予め設定された疾病発症に影響を及ぼす環境的要因については、ユーザーの現在値を基に変化した値を用いて、予め設定された疾病に対するユーザーの変動疾病発症リスクを計算することができる。すなわち、疾病発症リスク計算部１３０は、疾病発症に影響を及ぼす要因の中、遺伝的要因に対する値は維持し、環境的要因に対する値に変化を持たせながら、変動疾病発症リスクを計算することができる。ここで、ユーザの現在値を基に変化した値は、ユーザーの現在値を基に改善された値である、又はユーザーの現在値を基に悪化した値であることができる。
【００３２】
この時、疾病発症リスク計算部１３０は、予め設定された疾病発症に影響を及ぼす環境的要因が複数個あれば、複数個の環境的要因のうちの少なくとも一つ以上の環境的要因については、ユーザーの現在値を基に変化した値を用いて、ユーザーの変動疾病発症リスクを計算することができる。例えば、疾病発症リスク計算部１３０は、環境的要因が３つあれば、１つの環境的要因、２つ、又は３つの環境的要因について変化値を用いて、ユーザーの変動疾病発症リスクを計算することができる。
【００３３】
また、疾病発症リスク計算部１３０は、予め設定された疾病発症に影響を及ぼす環境的要因について、ユーザーの現在値を基に変化された値を互いに異にして変更しながら、ユーザーの変動疾病発症リスクを複数回計算することができる。例えば、環境的要因について、ユーザーの現在値として「Ａ」を用い、ユーザーの変動疾病発症リスクを計算し、環境的要因について、ユーザーの現在値として「Ｂ」を用い、ユーザーの変動疾病発症リスクを改めて計算し、環境的要因について、ユーザーの現在値として「Ｃ」を用い、ユーザーの変動疾病発症リスクを改めて計算することができる。
【００３４】
例えば、次の［表２］を参照すれば、胃がん発症に影響を及ぼす環境的要因が飲酒、喫煙、ＢＭＩ（体質量指数）であり、環境的要因に対するユーザーの現在値（現在の生活習慣等）を変化（改善又は悪化）させながら、胃がんに対するユーザーの変動疾病発症リスクを計算することができる。以下の［表２］による環境的要因の値に対する変化の程度は、一つの例示に過ぎず、変化の程度は多様に設定することができる。
【表２】
2021535527.tif 000004
【００３５】
ディスプレイ部１５０は、疾病発症リスク計算部１３０によって計算されたユーザーの現在の疾病発症リスクと変動疾病発症リスクを視覚化して出力する。
【００３６】
また、ディスプレイ部１５０は、疾病発症リスク計算部１３０により変動疾病発症リスクが複数回計算される場合、疾病発症リスク計算部１３０により計算されたユーザーの現在の疾病発症リスクと、複数個の変動疾病発症リスクを視覚化して出力することができる。
【００３７】
この時、ディスプレイ部１５０は、ユーザーの現在の疾病発症リスクと、複数個の変動疾病発症リスクを視覚化するとき、全体のユーザーの中で、当該ユーザーにつけられているリスクの順位も共に視覚化することができる。
【００３８】
例えば、図３に示すように、特定の疾病に対するユーザーの現在の疾病発症リスクに応じた順位を表示するだけでなく、環境的要因（生活習慣）の変化に応じて改善／悪化しうる疾病発症リスクの変化の程度を同時に表示することができる。併せて、図４に示すように、環境的要因（生活習慣）の変化時に予想される疾病発症リスクの順位の変化を表示し、具体的にどのような環境的要因（生活習慣）を改善すべきかユーザーが確認することができ、今の良い環境的要因（生活習慣）が悪化する場合には、疾病発症リスクがどのように変化するのかをユーザーが確認することができる。
【００３９】
一方、本発明の好ましい実施例による疾病発症リスク変動視覚化装置１００が、独立した一つの装置であると説明しているが、すなわち、疾病発症リスク変動視覚化装置１００が、ユーザーの現在の疾病発症リスクを計算し、環境的要因の変化に応じた変動疾病発症リスクを計算し、計算された現在の疾病発症リスクと変動疾病発症リスクを視覚化して出
力すると説明したが、これに限定されず、実施例に基づいて、本発明による疾病発症リスク変動視覚化装置１００は、アプリケーションなどの形態で、スマートフォン、パソコンなどのようなユーザー端末（未図示）に設置され、本発明による動作を行うことができる。
【００４０】
次は、図５を参照して、本発明の好ましい実施例による環境的要因の変化に応じた疾病発症リスクの変動を視覚化する方法について説明する。
【００４１】
図５は、本発明の好ましい実施例による環境的要因の変化に応じた疾病発症リスク変動を視覚化する方法を説明するためのフローチャートである。
【００４２】
図５を参照すれば、疾病発症リスク変動視覚化装置１００は、疾病発症要因の情報を基に、予め設定された疾病に対するユーザーの現在の疾病発症リスクを計算する（Ｓ１１０）。ここで、疾病発症要因の情報は、疾病発症に影響を及ぼす遺伝的要因及び環境的要因に対する情報を疾病別に有する。
【００４３】
すなわち、疾病発症リスク変動視覚化装置１００は、疾病発症要因の情報を基に、予め設定された疾病に対する発生に影響を及ぼす遺伝的要因と環境的要因に対するユーザーの現在値を用いて、予め設定された疾病に対するユーザーの現在の疾病発症リスクを計算することができる。
【００４４】
また、疾病発症リスク変動視覚化装置１００は、疾病発症要因の情報を基に、予め設定された疾病に対するユーザーの変動疾病発症リスクを計算する（Ｓ１３０）。
【００４５】
すなわち、疾病発症リスク変動視覚化装置１００は、疾病発症要因の情報を基に、予め設定された疾病発症に影響を及ぼす遺伝的要因については、ユーザーの現在値を用いて、予め設定された疾病発症に影響を及ぼす環境的要因については、ユーザーの現在値を基に変化した値を用いて、予め設定された疾病に対するユーザーの変動疾病発症リスクを計算することができる。ここで、ユーザの現在値を基に変化した値は、ユーザーの現在値を基に改善された値である、又はユーザーの現在値を基に悪化した値であることができる。
【００４６】
この時、疾病発症リスク変動視覚化装置１００は、予め設定された疾病発症に影響を及ぼす環境的要因が複数個あれば、複数個の環境的要因のうちの少なくとも一つ以上の環境的要因については、ユーザーの現在値を基に変化した値を用いて、ユーザーの変動疾病発症リスクを計算することができる。
【００４７】
また、疾病発症リスク変動視覚化装置１００は、予め設定された疾病発症に影響を及ぼす環境的要因について、ユーザーの現在値を基に変化された値を互いに異にして変更しながら、ユーザーの変動疾病発症リスクを複数回計算することができる。
【００４８】
それから、疾病発症リスク変動視覚化装置１００は、ユーザーの現在の疾病発症リスクと変動疾病発症リスクを視覚化して出力する（Ｓ１５０）。
【００４９】
ここで、疾病発症リスク変動視覚化装置１００は、変動疾病発症リスクが複数回計算される場合、計算されたユーザーの現在の疾病発症リスクと、複数個の変動疾病発症リスクを視覚化して出力することができる。
【００５０】
この時、疾病発症リスク変動視覚化装置１００は、ユーザーの現在の疾病発症リスクと、複数個の変動疾病発症リスクを視覚化するとき、全体のユーザーの中で、当該ユーザーにつけられているリスクの順位も共に視覚化することができる。
【００５１】
さらに、本発明は、コンピュータで読み取り可能な記録媒体にコンピュータが読み取り可能なコードとして具現することができる。コンピュータで読み取り可能な記録媒体は、コンピュータにより読み取り可能なデータが保存されるすべての種類の記録装置を含む。コンピュータが読み取り可能な記録媒体の例としては、ロム（ＲＯＭ）、ラム（ＲＡＭ）、シーディー−ロム（ＣＤ−ＲＯＭ）、磁気テープ、フロッピーディスク、光データ保存装置などがある。
【００５２】
以上、本発明の好ましい実施例にについて詳細に説明したが、本発明は、上述した特定の好ましい実施例に限定されず、以下の請求の範囲で請求する本発明の要旨を逸脱することなく、当該発明が属する技術分野における通常の知識を有する者であれば、何人も多様な変形に実施可能であることはもちろんのこと、そのような変更は、請求の範囲の記載の範囲内にある。
【符号の説明】
【００５３】
１００：疾病発症リスク変動視覚化装置
１１０：保存部
１３０：疾病発症リスク計算部
１５０：ディスプレイ部
【図１】
2021535527.tif 000005
【図２】
2021535527.tif 000006
【図３】
2021535527.tif 000007
【図４】
2021535527.tif 000008
【図５】
2021535527.tif 000009
【国際調査報告】
2021535527.tif 000010
2021535527.tif 000011
2021535527.tif 000012
2021535527.tif 000013